(57)【特許請求の範囲】
【請求項１】
外部周面にあって刃口部分の先端に周面摩擦低減用泥土の漏出阻止部材を配置し、
漏出阻止部材が、前記刃口部分のみに配置したゴム製リブから構成されることを特徴とするケーソン。
【請求項２】
外部周面にあって刃口部分の先端に周面摩擦低減用泥土の漏出阻止部材を配置し、
漏出阻止部材が、前記刃口部分のみに配置した膨張するストロングバッグから構成されることを特徴とするケーソン。
【発明の詳細な説明】
【０００１】
【発明の属する技術分野】
本発明は、ケーソンの周面に適用される周面摩擦低減用泥土が刃口の先端部から漏出するのを防止できるケーソンに関する。
【０００２】
【従来の技術】
ケーソンは、その沈設に際して支持地盤との周面摩擦力を低減させるために、ベントナイト等の泥土をケーソンの側壁周面に充填する場合がある。
【０００３】
このような周面摩擦低減用泥土３は、図３に示すようにケーソン１の下部にフリクションカッタを付けて形成されている刃口部分２の上部外周面４に適用されているので、通常であればケーソン１の刃口部分２は支持地盤５の土中に食い込んでいることからケーソンの下部６に漏出することがない。
【０００４】
しかしながら、支持地盤５の地層構成によっては、刃口部分２の下側まで掘削が進行してしまう場合も発生する。このような場合には、刃口部分２が支持地盤５の土中から露出してしまうことから、ケーソンの上部外周面４に充填されている周面摩擦低減用泥土３がケーソンの下部６に漏出することになる。
【０００５】
周面摩擦低減用泥土３の漏出は、ケーソン下部６での掘削作業に支障を来すものであり、作業の障害になって工期の延長に発展すると共に、充填する周面摩擦低減用泥土３を無駄に消費することになって工費に影響することになる。
【０００６】
従って、ケーソンを沈設する支持地盤が、軟弱地盤等のように地層構成を不安定にしている場合には、刃口部分２が支持地盤５の土中から露出しても、周面摩擦低減用泥土３をケーソンの下部６に漏出させないように対策を講じる必要がある。
【０００７】
【発明が解決しようとする課題】
本発明は、上記の状況に鑑みてその対策として提案されるものであり、ケーソンの刃口部分が支持地盤から露出しても、周面摩擦低減用泥土をケーソンの刃口部分から漏出させることのないケーソンの提供を目的にしている。
【０００８】
【課題を解決するための手段】
本発明によるケーソンは、基本的に、ケーソンの外部周面にあって、刃口部分の先端に周面摩擦低減用泥土の漏出阻止部材を配置するものであり、具体的には、漏出阻止部材を、刃口部分のみに配置したゴム製リブから構成したり、刃口部分のみに配置した膨張するストロングバッグで構成することを特徴としており、如何なる支持地盤にあっても周面摩擦低減用泥土がケーソンの刃口部分から漏出することを阻止して工期の延長と工費の高騰を回避している。
【０００９】
【発明の実施の形態】
本発明によるケーソンは、その外部周面に充填されている周面摩擦低減用泥土がケーソンの下部に漏出することのないように、刃口部分の先端にゴム製リブや膨張するストロングバッグ等から構成される漏出阻止部材を配置するものである。
【００１０】
以下に、本発明の実施の形態を図面に基づいて詳細に説明するが、理解を容易にするために従来と同様の部位については、同一の符号で表示している。
【００１１】
図１は、本発明の一実施の形態を示すケーソンの概要断面図であり、ケーソン１の上部外周面４には、周面摩擦低減用泥土３が充填されており、刃口部分２でケーソン１を沈設させて行く際に支持地盤５との間に発生する摩擦抵抗を削減している。
【００１２】
本実施の形態では、図示のようにケーソン１の下部に構成されている刃口部分２の先端７に、躯体を欠きこむことで形成した凹部８を設けており、この凹部８にゴム製のリブ９を取付けることで、周面摩擦低減用泥土３が刃口部分２から漏出するのを阻止している。
【００１３】
ゴム製のリブ９は、充分な厚みと弾性を持たせながら、支持地盤５との直接摩擦に耐え得る強度に構成しており、刃口部分２には、土圧が高い場合にもこれが障害とならないように図示のような湾曲形状にしながら配備している。
【００１４】
本実施の形態では、ケーソン１の刃口部分２を以上のように構成しているので、図示のように支持地盤５の地層構成に沿って刃口部分２の下側まで掘削が進行することで、刃口部分２が支持地盤５の土中から露出した場合であっても、ケーソン１の上部外周面４に充填されている周面摩擦低減用泥土３が、刃口部分２から漏出するのを防止されており、ケーソンの下部６に漏出する事故に発展することがない。
【００１５】
従って、本実施の形態では、ケーソン下部での掘削作業に支障を来すことがないので、作業工期の延長や工費に影響する周面摩擦低減用泥土の浪費を回避している。
【００１６】
図２は、本発明の他の実施形態を示すケーソンの概要断面図である。
本実施の形態では、上記実施の形態と大部分を同一にしているが、図示のようにケーソン１の下部に構成されている刃口部分２の先端７に、躯体を欠きこむことで形成した凹部８を設けており、この凹部８に膨張するストロングバッグ１０を配置することで、周面摩擦低減用泥土３が刃口部分２から漏出するのを阻止している。
【００１７】
ストロングバッグ１０には注入口１１を設けてあり、ストロングバッグ１０に注入口１１から水又は空気を供給することによって、ストロングバッグ１０をその圧力で膨張させることを可能にしている。
【００１８】
従って、ストロングバッグ１０は、これを膨らませることによって刃口部分２からの漏出口を塞ぐことになるので、周面摩擦低減用泥土３が刃口部分２から漏出するのを阻止して、ケーソンの下部６に流出する周面摩擦低減用泥土３の漏出事故を防止している。
【００１９】
ストロングバッグ１０の材質は、支持地盤５との直接の摩擦に耐え得るものであり、刃口部分２に設ける凹部８についても、支持地盤の土圧が高い場合にストロングバッグ１０が障害とならないような形状に選択することを考慮している。
【００２０】
以上のように、本実施の形態の場合もケーソン１の刃口部分２を以上のように構成しているので、図示のように刃口部分２が支持地盤５の土中から露出した場合でも、上記実施の形態と同様にケーソン１の上部外周面４に充填されている周面摩擦低減用泥土３が、刃口部分２から漏出するのを防止されており、ケーソン下部での掘削作業に支障を来すことがないので、作業工期の延長や工費に影響する周面摩擦低減用泥土の浪費を回避している。
【００２１】
以上、本発明によるケーソンを、上記の各実施の形態に基づいて詳細に説明してきたが、本発明は、これらの実施の形態に何ら限定されるものでなく、漏出阻止部材の具体的な構造や材質に関して、発明の主旨を逸脱しない範囲において各種の変更が可能であることは当然のことである。
【００２２】
【発明の効果】
本発明によるケーソンは、ケーソンの外部周面にあって、刃口部分の先端に周面摩擦低減用泥土の漏出阻止部材を配置するものであり、漏出阻止部材を、刃口部分のみに配置したゴム製リブから構成したり、刃口部分のみに配置した膨張するストロングバッグで構成することを特徴としているので、如何なる支持地盤にあっても周面摩擦低減用泥土がケーソンの刃口部分から漏出することを阻止して工期の延長と工費の高騰を回避する効果を奏している。
【図面の簡単な説明】
【  図１】本発明によるケーソンの一実施の形態を示す概要図
【  図２】本発明によるケーソンの他の実施形態を示す概要図
【  図３】従来におけるケーソンの概要図
【符号の説明】
１  ケーソン、  ２  刃口部分、  ３  周面摩擦低減用泥土、
４  上部外周面、  ５  支持地盤、  ６  ケーソンの下部、  ７  先端、
８  凹部、  ９  リブ、  １０  ストロングバッグ、  １１  注入口、
【図１】
0003837663.tif 000002
【図２】
0003837663.tif 000003
【図３】
0003837663.tif 000004